(57)【特許請求の範囲】
【請求項１】
被加熱物を加熱するバーナーを内部に備えた複数の連続式加熱炉により構成され、全てのバーナーが蓄熱式切り替えバーナーであり、炉温調整が容易な第１の連続式加熱炉と、全てのバーナーが連続加熱バーナーであり、炉温調整が困難な第２の連続式加熱炉とを備える連続式加熱炉群を用いた連続式加熱炉への被加熱物の振り分け方法であって、
数量の少ない小ロットの被加熱物は前記第１の連続式加熱炉へ装入され、数量の多い大ロットの被加熱物は前記第２の連続式加熱炉へ装入されることを特徴とする連続式加熱炉群の被加熱物の振り分け方法。
【発明の詳細な説明】
【技術分野】
【０００１】
本発明は、熱間圧延の前に被加熱物を加熱するバーナーを備えた複数の連続式加熱炉から構成される連続式加熱炉群を用いた被加熱物の振り分け方法に関する。
【背景技術】
【０００２】
鋼やアルミニウムなどの金属では、製品への製造過程においてスラブなどの金属材料を薄く延ばしたり、中空管などの形状にしたりするために熱間圧延が行われる。連続式加熱炉は、この熱間圧延の前に、設定された目標抽出温度までスラブ等の被加熱物を加熱するために使用される。この目標抽出温度は、熱間圧延時の被加熱物の温度の違いにより金属の性質が異なってくることから、その被加熱物から製造される最終製品に必要な性能により決定される。通常、連続式加熱炉の内部は複数の燃焼制御帯に分けられ、各燃焼制御帯には複数のバーナーが備えられている。被加熱物は、搬送装置により連続式加熱炉内を搬送され、装入口から装入されて、内部の予熱帯、加熱帯及び均熱帯などの各燃焼制御帯でバーナーにより連続加熱されて目標抽出温度となり抽出口から抽出される。この目標抽出温度は、例えば鋼では一般的に１０００℃〜１２５０℃程度であるが、８００℃〜１０００℃の物もあり、これらの被加熱物が同一の連続式加熱炉内部に混在することもある。そのため、各燃焼制御帯でバーナーの燃焼を制御することで、目標抽出温度の調整を行っている。
【０００３】
バーナーには、連続加熱バーナー及び蓄熱式切り替えバーナー（以下単に「蓄熱式バーナー」ということがある。）があり、連続式加熱炉ではこれら二種類のバーナーが単独又は組み合わされて使用されている。連続加熱バーナーは、燃焼用空気と燃焼ガスとをバーナーノズル内部で混合して炉内へ連続的に噴射し、燃焼させる。連続式加熱炉の排ガスを排出する煙道には、レキュペレーターと呼ばれる熱交換器が設置され、燃焼用空気はこの熱交換器を通過する時に排ガスと熱交換を行うことで約３００℃〜６００℃に加熱される。この燃焼用空気がバーナーに供給されることで、連続式加熱炉の熱効率が上げられている。一方、蓄熱式バーナーは、バーナーに備えられた蓄熱体を通過して燃焼用空気の供給及び炉内排ガスの排出が行われ、この燃焼用空気と燃焼ガスとをバーナーノズル内部で混合して炉内へ連続的に噴射し、燃焼させる。蓄熱式バーナーは２基で１組であり、第一のバーナーが燃焼している時は、第二のバーナーは燃焼せずに炉内排ガスを吸引し、蓄熱体へ排ガスの熱を蓄熱する。第一のバーナーの燃焼が終了すると、第二のバーナーは燃焼を開始する。この時、燃焼用空気は、排ガスが蓄熱体を通過する際に、蓄熱体が排ガスから蓄熱した熱により加熱され、通常８００℃〜１０００℃となる。そのため、連続加熱バーナーでの燃焼用空気よりも高温の燃焼用空気を用いることができる。また、一定の範囲で燃料流量、燃焼時間、燃焼の有無を制御することで連続加熱バーナーに比べ緻密な燃焼制御ができるため、各燃焼制御帯で細かい炉温制御が可能である。したがって、これらにより連続式加熱炉の熱効率をさらに向上させることができる。
【０００４】
ここで、全てのバーナーが連続加熱バーナーである連続式加熱炉は、炉内排ガスが抽出側から装入側へ排出されるため、炉内排ガスの排出が困難であることから熱慣性が大きい。そのため、連続加熱バーナーの燃焼が制御されても、短時間で炉内の温度を調整することは困難である。また、炉内排ガスが各燃焼制御帯を通過するため、隣接する燃焼制御帯で温度差を設けることは困難である。そこで、例えば１２５０℃の目標抽出温度の高い被加熱物と、１０００℃の目標抽出温度の低い被加熱物とを加熱するためには、これらの被加熱物の間に、１０００℃〜１２５０℃のような目標抽出温度の幅が広い被加熱物を装入することで、炉温調整をしている。しかし、被加熱物の目標抽出温度から連続式加熱炉の装入順序を決定する必要があるため生産管理が複雑となる。また、目標抽出温度の幅が広い被加熱物が無い時は、目標抽出温度の高い被加熱物と目標抽出温度の低い被加熱物との間を空けて炉温調整を行っているため、連続式加熱炉の熱効率が低下することで燃料原単位が低下し、また生産効率が著しく低下するという問題があった。さらに、並列して複数の連続式加熱炉で被加熱物を加熱する場合、生産管理の面からこれら連続式加熱炉からの被加熱物の抽出順序は、これら連続式加熱炉への被加熱物の装入順序との関係等により決められている場合があるが、炉温の調整または炉内を空けることによって特定の連続式加熱炉から予定時間での抽出ができなくなることで、他の連続式加熱炉からの被加熱物の抽出にも影響を与えることとなる。これにより、連続式加熱炉だけでなく、その後の工程を含めて生産効率の低下を生じるという問題があった。一方、複数の連続式加熱炉の炉温を、例えば１０００℃、１２５０度のようにそれぞれ固定することで炉温の調整を不要とすることが可能であるが、各目標抽出温度で被加熱物の数量に違いがあると特定の連続式加熱炉の稼動率が低下し、生産効率が低下することとなる。これらの問題を解決するため、特許文献１には、仕切壁での分割により少なくとも上下各二つの均熱帯を設け、分割された均熱帯ごとに燃焼制御を行うことで、生産性を低下させることなく、異なる目標抽出温度の鋼材を精度よく加熱する連続加熱装置が開示されている。また、特許文献２には、省エネルギー等のために一対または複数対の蓄熱式バーナーを配置した連続式加熱炉が開示されている。この連続式加熱炉によれば、開示されている省エネルギー等の効果に加え、各蓄熱式バーナーが蓄熱器を介して多くの炉内排ガスを炉外へ排出するため、連続式加熱炉の熱慣性が小さくなるとともに、他の燃焼制御帯との独立性が高く、隣接する燃焼制御帯で温度差を設けることが可能となることから、炉温を調整することが容易となる。
【特許文献１】特開２０００−２７３５３０号公報
【特許文献２】特開平１１−５１３６９号公報
【発明の開示】
【発明が解決しようとする課題】
【０００５】
しかし、特許文献１に開示されている単体の連続式加熱炉では、熱慣性の影響を完全に排除することはできないため、目標抽出温度の精度、燃料原単位及び生産性の低下の問題を完全に解決するには至っていない。また、特許文献２に開示されている蓄熱式バーナーを配置した連続式加熱炉では、炉温の調整が容易となることで、目標抽出温度に対する炉温精度の向上により品質の良い製品を、効率良く生産することができるが、既存の連続式加熱炉には全てのバーナーが連続加熱バーナーである物が多く、これらを蓄熱式バーナーを備えた連続式加熱炉にすることは次の点から困難であるという問題がある。第一に、構造の違いから、全てのバーナーが連続加熱バーナーである連続式加熱炉を、蓄熱式バーナーを備えた連続式加熱炉に改修することは困難である。次に、新たに蓄熱式バーナーを備えた連続式加熱炉を設置することは、既存の施設内に設置場所を確保できないことから困難な場合が多く、一方、既存の連続式加熱炉を撤去して新たに設置することは、その間の施設全体の生産性を低下させるとともに、現状で使用可能な設備の有効活用という経済的及び環境的な面からも好ましくない。さらに、設備投資の制約からも新しい連続式加熱炉を容易に設置することはできない。したがって、これらの点から、蓄熱式バーナーを備えた連続式加熱炉を増やすことは困難である。
【０００６】
そこで、本発明は上記問題を解決するため、既存設備をできる限り有効に活用するとともに、必要最小限の用地及び費用等で、品質、燃料原単位及び生産効率の向上を得ることができる連続式加熱炉群を用いた被加熱物の振り分け方法を提供することを課題とする。
【課題を解決するための手段】
【０００７】
以下、本発明について説明する。なお、本発明の理解を容易にするために添付図面の参照符号を括弧書きにて付記するが、それにより本発明が図示の形態に限定されるものではない。
【０００８】
請求項１に記載の発明は、被加熱物（４ａ〜４ｄ）を加熱するバーナーを内部に備えた複数の連続式加熱炉により構成され、全てのバーナーが蓄熱式切り替えバーナー（３９、３９、…）であり、炉温調整が容易な第１の連続式加熱炉（３）と、全てのバーナーが連続加熱バーナー（２０〜２２）であり、炉温調整が困難な第２の連続式加熱炉（２ａ〜２ｃ）とを備える連続式加熱炉群（１）を用いた連続式加熱炉への被加熱物の振り分け方法であって、数量の少ない小ロットの被加熱物は第１の連続式加熱炉へ装入され、数量の多い大ロットの被加熱物は第２の連続式加熱炉へ装入されることを特徴とする連続式加熱炉群の被加熱物の振り分け方法を提供することにより前記課題を解決する。
【０００９】
ここで、「被加熱物」とは、鋼及びアルミニウムなどの連続式加熱炉で加熱される物品を意味しており、材質及びインゴット、スラブなどの形態は問わない。
【発明の効果】
【００１０】
請求項１に記載の発明によれば、被加熱物が制御又は作業員等により各連続式加熱炉へ振り分けられ、数量の少ない被加熱物（以下単に「小ロット品」という。）は、炉温調整が容易な全てのバーナーが蓄熱式バーナーである連続式加熱炉へ装入される。そのため、全てのバーナーが連続加熱バーナーである炉温調整の困難な連続式加熱炉では、数量の多い被加熱物（以下単に「大ロット品」という。）を加熱するため、炉温調整を少なくすることができる。これにより、全てのバーナーが連続加熱バーナーである連続式加熱炉の炉温精度が向上し、かつ炉温調整の時間が短縮されるため、品質、燃料原単位及び生産効率の向上が可能である。また、連続式加熱炉から予定通りの時間で被加熱物の抽出が可能となるため、抽出時間の遅れにより生産管理の面から生じていた生産効率の低下を解消することができる。なお、蓄熱式バーナーを備えた連続式加熱炉は、一部でなく全バーナーを蓄熱式バーナーとすることで、さらに熱効率が良くなり、また幅広い目標抽出温度に迅速に対応できるため、品質、燃料原単位及び生産効率をより向上させることが可能である。また、既存の全てのバーナーが連続加熱バーナーである連続式加熱炉を有効に活用することができるため、設置が困難である全てのバーナーが蓄熱式バーナーである連続式加熱炉は少なくとも１基備えられていれば良く、必要最小限の用地及び設備費用等で、上述した品質、燃料原単位及び生産効率の向上を得ることが可能である。
【００１１】
本発明のこのような作用及び利得は、次に説明する発明を実施するための最良の形態から明らかにされる。
【発明を実施するための最良の形態】
【００１２】
以下、図面に示す実施形態に基づき、本発明による連続式加熱炉群の一例として、全てのバーナーが蓄熱式バーナーである連続式加熱炉１基と、全てのバーナーが連続加熱バーナーである連続式加熱炉３基とで構成される連続式加熱炉群の場合を説明するが、以下に説明するものは本発明の実施形態の一例であって、本発明はその要旨を超えない限り以下の説明になんら限定されるものではない。
【００１３】
図１は、１つの実施形態にかかる本発明の連続式加熱炉群１を模式的に示した平面図である。全てのバーナーが連続加熱バーナーである３基の連続式加熱炉２ａ〜２ｃ及び全てのバーナーが蓄熱式バーナーである１基の連続式加熱炉３が、加熱前の被加熱物を搬入する搬送装置５及び加熱後の被加熱物を搬出する搬送装置６に対して並列に配置されている。搬送装置５には、連続式加熱炉２ａ〜２ｃ、３の装入口付近に装入装置（図示省略）が備えられている。なお、図１では、被加熱物４ａ〜４ｄが搬送されている場合を示しており、被加熱物４ａ〜４ｃは大ロット品であり、被加熱物４ｄは小ロット品である。なお、矢印は、被加熱物の搬送経路を示している。かかる構成により、被加熱物４ａ〜４ｄは、材料置場から搬送装置５により搬入され、制御器での制御または作業員の操作等により作動する装入装置により、連続式加熱炉２ａ〜２ｃ、３へ割り振られて装入される。各連続式加熱炉では、被加熱物４ａ〜４ｄはバーナーにより加熱され、目標抽出温度に達した後に抽出されて、搬送装置６により熱間圧延機へ搬出される。ここで、被加熱物４ａ〜４ｄの連続式加熱炉への割り振りは、各被加熱物の数量に応じて行われ、小ロット品が全てのバーナーが蓄熱式バーナーである連続式加熱炉へ装入されるようにするため、小ロット品４ｄが連続式加熱炉３へ装入される。これにより、炉温調節の容易な連続式加熱炉３で細かな炉温調整を行うことで、炉温調節の困難な連続式加熱炉２ａ〜２ｃの炉温調整を少なくすることができるため、連続式加熱炉２ａ〜２ｃの炉温精度が向上し、かつ炉温調整の時間が短縮されることで、品質、燃料原単位及び生産効率の向上が可能である。なお、小ロット品４ｄは、連続式加熱炉３へ装入されることが必要であるが、大ロット品４ａ〜４ｃが装入される連続式加熱炉は任意で良い。ただし、大ロット品４ａ〜４ｃは、品質、燃料原単位及び生産効率の向上のため、炉温調節が少なくなるように連続式加熱炉２ａ〜２ｃ、３へ装入されることが好ましい。
【００１４】
図２は、全てのバーナーが連続加熱バーナーである連続式加熱炉２ａの炉長方向の内部を模式図に示した図である。ここで、炉長方向とは、被加熱物が搬送される方向である（以下同じ。）。連続式加熱炉２ａは、被加熱物４ａ、４ａ、…を搬送する炉内搬送装置１１の両端に配置された装入口１２及び抽出口１３を備え、内部は装入口１２側から熱還流領域１４並びに予熱帯１５、加熱帯１６及び均熱帯１７の各燃料制御帯に分けられている。熱還流領域１４には、バーナーが設置されておらず、下部には煙道１８が設けられ、この煙道１８には熱交換器であるレキュペーター１９が取り付けられている。一方、予熱帯１５、加熱帯１６及び均熱帯１７の炉幅側の両側面下部には、連続加熱バーナーが炉幅方向から被加熱物４ａ、４ａ、…を加熱するようにして取り付けられたサイドバーナー２０、２０、…が備えられている。ここで、炉幅方向とは、炉長方向に直交し、かつ床面に水平な方向である（以下同じ。）。また、予熱帯１５及び加熱帯１６の抽出口１３側の側面上部には、連続加熱バーナーが装入口１２側方向斜め下向きに取り付けられた軸流バーナー２１、２１、…が備えられている。さらに、均熱帯１７の上部には、連続加熱バーナーが天井から下方に向けて取り付けられたルーフバーナー２２、２２、…が備えられている。かかる構成により、被加熱物４ａ、４ａ、…は、装入口１２から装入され、炉内搬送装置１１により予熱帯１５、加熱帯１６及び均熱帯１７を通過して抽出口から抽出される。各燃料制御帯は、独立して連続加熱バーナーの燃焼制御が可能であり、予熱帯１５及び加熱帯１６においては、被加熱物４ａ、４ａ、…は、サイドバーナー２０、２０、…及び軸流バーナー２１、２１、…により加熱されて、温度が上昇する。均熱帯１７においては、被加熱物４ａ、４ａ、…は、サイドバーナー２０、２０、…及びルーフバーナー２２、２２、…により加熱されて、温度が均一になる。なお、炉内排ガスは、抽出口１３側から装入口１２側へ流れ、煙道１８を通って排出される。そのため、煙道１８に設置されたレキュペーター１９が、排ガスから蓄熱した熱により燃焼用空気を加熱し、この燃焼用空気が各連続加熱バーナーに供給される。これにより、燃焼用空気は約３００℃〜６００℃に温められることで、連続式加熱炉２ａの熱効率が上げられている。なお、連続式加熱炉２ｂ及び２ｃについても同様であるが、上記実施形態は一例であって、他の構成とすることも可能である。また、連続式加熱炉２ａ、２ｂ、及び２ｃは、同一の構成であっても、異なる構成であっても良い。
【００１５】
図３は、全てのバーナーが蓄熱式バーナーである連続式加熱炉３の炉長方向の内部を模式的に示した図である。連続式加熱炉３は、被加熱物４ｄ、４ｄ…を搬送する炉内搬送装置３１の両端に配置された装入口３２及び抽出口３３を備え、内部は装入口３２側から熱還流領域３４並びに予熱帯３５、加熱帯３６及び均熱帯３７の各燃料制御帯に分けられている。熱還流領域３４には、バーナーが設置されておらず、下部には煙道３８が設けられている。一方、予熱帯３５、加熱帯３６及び均熱帯３７の上部及び下部には、炉幅側の両側面に、蓄熱式バーナー３９、３９、…が、炉幅方向から被加熱物４ｄ、４ｄ…を加熱するように取り付けられている。蓄熱式バーナー３９、３９、…は、両側面に対応して取り付けられた２基で１組を構成しており、図３においては、一方の側面に取り付けられた蓄熱式バーナー３９、３９、…のみが示されている。かかる構成により、被加熱物４ｄ、４ｄ…は、装入口３２から装入され、炉内搬送装置３１により搬送されて予熱帯３５、加熱帯３６及び均熱帯３７を通過し、抽出口３３から抽出される。各燃料制御帯は、独立して蓄熱式バーナーの燃焼制御が可能であり、被加熱物４ｄ、４ｄ…を蓄熱式バーナー３９、３９、…で加熱することにより、予熱帯３５及び加熱帯３６においては、被加熱物４ｄ、４ｄ…の温度が上昇し、均熱帯３７においては、被加熱物４ｄ、４ｄ…の温度が均一になる。蓄熱式バーナー３９、３９、…には蓄熱体が備えられ、この蓄熱体を通過して燃焼用空気の供給及び炉内排ガスの排出が行われる。蓄熱式バーナー３９、３９、…の各組における第一のバーナーが燃焼している時は、第二のバーナーは燃焼せずに炉内排ガスを吸引し、蓄熱体へ排ガスの熱を蓄熱する。第一のバーナーの燃焼が終了すると、第二のバーナーは燃焼を開始する。この時、燃焼用空気は、蓄熱体を通過する際に、蓄熱体が排ガスから蓄熱した熱により加熱され、通常８００℃〜１０００℃となるため、連続加熱バーナーでの連続式加熱炉よりも熱効率が向上されている。また、炉内排ガスの多くが蓄熱式バーナー３９、３９、…により排出されるため、連続式加熱炉の熱慣性が小さくなり、他の燃焼制御帯との独立性が高くなることから、隣接する各燃料制御帯での温度差を設けることも可能である。さらに、一般的に蓄熱式バーナーは、一定の範囲で燃料流量、燃焼時間、燃焼の有無を制御することで連続加熱バーナーに比べ緻密な燃焼制御ができるため、各燃焼制御帯で細かい炉温制御が可能である。したがって、連続式加熱炉３は、炉温調整が容易である。
【００１６】
図４は、連続式加熱炉２ａ〜２ｃ、３への被加熱物４ａ〜４ｄの装入口周辺部を示す図である。全てのバーナーが連続加熱バーナーである３基の連続式加熱炉２ａ〜２ｃ及び全てのバーナーが蓄熱式バーナーである１基の連続式加熱炉３が、被加熱物の搬送装置５に対して並列に配置されている。ここでは、搬送装置５としてウォーキングビームが用いられ、これにより被加熱物４ａ〜４ｄが搬送されている。また、搬送装置５は、装入口１２ａ〜１２ｃ、３２付近に装入装置（図示省略）を備えている。なお、矢印は、被加熱物４ａ〜４ｄの搬送方向を示している。かかる構成により、材料置場から搬送装置５により搬入されてきた被加熱物４ａ〜４ｄは、制御器での制御または作業員の操作等により作動する装入装置により、連続式加熱炉２ａ〜２ｃ、３へ装入される。ここで、被加熱物４ａ〜４ｄの装入は、被加熱物の数量に応じて行われ、小ロット品４ｄは連続式加熱炉３へ装入される。これにより、炉温調節の容易な連続式加熱炉３で細かな炉温調整を行うことで、炉温調節の困難な連続式加熱炉２ａ〜２ｃの炉温調整を少なくすることができるため、連続式加熱炉２ａ〜２ｃの炉温精度が向上し、かつ炉温調整の時間が短縮されるため、品質、燃料原単位及び生産効率の向上が可能である。
【００１７】
図５は、ある一定の時間ｔ１〜ｔ９における連続式加熱炉２ａ〜２ｃ、３への被加熱物の装入状況を示す図である。矢印は、時間ｔの経過方向を示しており、図５では、時間ｔ１〜ｔ９において連続式加熱炉２ａ〜２ｃ、３へ装入される被加熱物４１〜４６が示されている。なお、被加熱物４１〜４６は、小ロット品４１、４２及び大ロット品４３〜４６からなり、被加熱物４１〜４６の目標抽出温度は、それぞれ異なっている。かかる状況では、時間ｔ１では、連続式加熱炉２ａへは大ロット品４３が、連続式加熱炉２ｂへは大ロット品４５が、連続式加熱炉２ｃ及び３へは、大ロット品４６が装入されている。連続式加熱炉３では、被加熱物が、時間ｔ３で小ロット品４１へ、時間ｔ５で小ロット品４１へ、時間ｔ８で大ロット品４６へ変更されている。連続式加熱炉２ａでは、被加熱物が時間ｔ７で大ロット品４４へ変更され、連続式加熱炉２ｂでは、被加熱物が時間ｔ７で大ロット品４６へ変更されている。このように、炉温調整の容易な連続式加熱炉３へ小ロット品４１、４２を装入して炉温調整を行うことで、炉温調節の困難な連続式加熱炉２ａ〜２ｃでは炉温調整を少なくすることができる。これにより、連続式加熱炉２ａ〜２ｃの炉温精度が向上し、かつ炉温調整の時間が短縮されるため、品質、燃料原単位及び生産効率の向上が可能である。なお、大ロット品が装入される連続式加熱炉は任意で良いが、例えば時間ｔ７における連続式加熱炉２ａ、２ｂのように、大ロット品４４、４６を装入する連続式加熱炉の選択が可能である場合は、時間ｔ６における被加熱物の目標抽出温度との関係で、炉温調整が少なくなるように被加熱物を装入することが、品質、燃料原単位及び生産効率を向上させるためには好ましい。
【００１８】
なお、上記の実施形態においては、一例として全てのバーナーが蓄熱式バーナーである連続式加熱炉３が１基であり、全てのバーナーが連続加熱バーナーである連続式加熱炉２が３基である連続式加熱炉４基で構成される連続式加熱炉群の場合を示したが、本発明は、全てのバーナーが蓄熱式バーナーである連続式加熱炉３が１基以上であり、全てのバーナーが連続加熱バーナーである連続式加熱炉２が１基以上である、連続式加熱炉２基以上で構成される連続式加熱炉群であれば良い。また、本発明では、幅広い目標抽出温度に迅速に対応することで、品質、燃料原単位及び生産効率をより向上させるために全てのバーナーが蓄熱式バーナーである連続式加熱炉を備えることとしたが、取り扱う被加熱物の目標抽出温度などにより、一部のバーナーが蓄熱式バーナーである連続式加熱炉であっても炉温調整が十分可能であれば、そのような連続式加熱炉を用いても本発明の効果を得ることは可能である。
【００１９】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う連続式加熱炉群もまた本発明の技術的範囲に包含されるものとして理解されなければならない。
【図面の簡単な説明】
【００２０】
【図１】連続式加熱炉群の構成図である。
【図２】全てのバーナーが連続加熱バーナーである連続式加熱炉の炉長方向の内部を示す図である。
【図３】全てのバーナーが蓄熱式バーナーである連続式加熱炉の炉長方向の内部を示す図である。
【図４】連続式加熱炉群の装入口周辺部を示す図である。
【図５】各連続式加熱炉への被加熱物の装入状況を示す図である。
【符号の説明】
【００２１】
１  連続式加熱炉群
２  全てのバーナーが連続加熱バーナーである連続式加熱炉
３  全てのバーナーが蓄熱式バーナーである連続式加熱炉
４  被加熱物
【図１】
0004670715.tif 000002
【図２】
0004670715.tif 000003
【図３】
0004670715.tif 000004
【図４】
0004670715.tif 000005
【図５】
0004670715.tif 000006